(57)【要約】【課題】端末から発行されたコマンドの扱いにつき各端末の使用者の間で混乱や衝突を生じないとともに、端末の使用者がシステムの故障と誤解することがないようにする。【解決手段】  ベース機器１０は、いずれかの端末からコマンドを受信したとき、当該コマンドが、競合コマンドであるか否か、および当該コマンドを発行した端末の優先順位を判定し、当該コマンドが競合コマンドでない場合に当該コマンドを受け付け、当該コマンドが競合コマンドであり、かつ、当該コマンドを発行した端末の優先順位が受信中の他の端末の優先順位より高い場合に、当該コマンドを受け付けるとともに、その旨を受信中の他の端末に通知する。また、当該コマンドが競合コマンドであり、かつ、当該コマンドを発行した端末の優先順位が受信中の他の端末の優先順位より高くない場合に、当該コマンドを受け付けないとともに、その旨を当該コマンドを発行した端末に通知する。【選択図】図１
2010252368.tif 000002
【特許請求の範囲】
【請求項１】
複数の端末と少なくとも一つのベース機器とによって構成され、端末とベース機器との間の無線通信によって、端末から発行されたコマンドをベース機器で受信して、ベース機器から端末に情報を送信する無線ＬＡＮシステムにおいて、
前記ベース機器は、
前記端末から発行されたコマンドを受信する受信手段と、
前記受信手段によって、いずれかの端末から発行されたコマンドが受信されたとき、当該コマンドが、これを受け付けることによって現に受信中の他の端末の受信を妨げる競合コマンドであるか否か、および当該コマンドを発行した端末の優先順位が受信中の他の端末の優先順位より高いか否かを判定する判定手段と、
当該コマンドが競合コマンドでない場合に当該コマンドを受け付け、当該コマンドが競合コマンドであり、かつ、当該コマンドを発行した端末の優先順位が受信中の他の端末の優先順位より高い場合に、当該コマンドを受け付けるとともに、その旨を受信中の他の端末に通知し、当該コマンドが競合コマンドであり、かつ、当該コマンドを発行した端末の優先順位が受信中の他の端末の優先順位より高くない場合に、当該コマンドを受け付けないとともに、その旨を当該コマンドを発行した端末に通知する送信手段と
を備え、
前記端末は、
コマンドを生成する生成手段と、
当該コマンドを前記ベース機器に送信する送信手段と、
前記ベース機器からの通知を受信する受信手段と
を備える無線ＬＡＮシステム。
【請求項２】
複数の端末と少なくとも一つのベース機器とによって構成され、端末とベース機器との間の無線通信によって、端末から発行されたコマンドをベース機器で受信して、ベース機器から端末に情報を送信する無線ＬＡＮシステムにおいて、
前記ベース機器は、
前記端末から発行されたコマンドを受信する受信手段と、
前記受信手段によって、いずれかの端末から発行されたコマンドが受信されたとき、当該コマンドが、これを受け付けることによって現に受信中の他の端末の受信を妨げる競合コマンドであるか否か、および実行中のコマンドを受け付けてから所定時間以上経過しているか否かを判定する判定手段と、
当該コマンドが競合コマンドでない場合に当該コマンドを受け付けるとともに、タイマーを初期状態に設定し、当該コマンドが競合コマンドであり、かつ、実行中のコマンドを受け付けてから所定時間以上経過している場合に、当該コマンドを受け付けるとともに、その旨を受信中の他の端末に通知し、タイマーを初期状態に設定し、当該コマンドが競合コマンドであり、かつ、実行中のコマンドを受け付けてから所定時間以上経過していない場合に、当該コマンドを受け付けないとともに、その旨を当該コマンドを発行した端末に通知する送信手段と
を備え、
前記端末は、
コマンドを生成する生成手段と、
当該コマンドを前記ベース機器に送信する送信手段と、
前記ベース機器からの通知を受信する受信手段と
を備える無線ＬＡＮシステム。
【請求項３】
複数の端末と少なくとも一つのベース機器とによって構成され、端末とベース機器との間の無線通信によって、端末から発行されたコマンドをベース機器で受信して、ベース機器から端末に情報を送信する無線ＬＡＮシステムにおいて、
前記ベース機器は、
前記端末から発行されたコマンドを受信する受信手段と、
前記受信手段によって、いずれかの端末から発行されたコマンドが受信されたとき、当該コマンドが、これを受け付けることによって現に受信中の他の端末の受信を妨げる競合コマンドであるか否かを判定する判定手段と、
当該コマンドが競合コマンドでない場合に当該コマンドを受け付け、当該コマンドが競合コマンドであり、かつ、受信中の他の端末へのコマンドの受け付けの可否の問い合わせにおいて受け付け可の返答を受信した場合に、当該コマンドを受け付け、当該コマンドが競合コマンドであり、かつ、受信中の他の端末へのコマンドの受け付けの可否の問い合わせにおいて受け付け不可の返答を受信した場合に、当該コマンドを受け付けないとともに、その旨を当該コマンドを発行した端末に通知する送信手段と
を備え、
前記端末は、
コマンドを生成する生成手段と、
当該コマンドを前記ベース機器に送信する送信手段と、
コマンドの受け付けの可否を判定する判定手段と、
前記ベース機器からの通知を受信する受信手段と
を備える無線ＬＡＮシステム。
【発明の詳細な説明】
【技術分野】
【０００１】
この発明は、無線ＬＡＮ（Ｌｏｃａｌ  Ａｒｅａ  Ｎｅｔｗｏｒｋ）システムに関する。
【背景技術】
【０００２】
住宅内や部屋内などの限られたエリア内において、複数の機器の間で、無線ＬＡＮシステムを構築して、情報の送受信を行うことが考えられており、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１規格では、このような無線ＬＡＮシステムに用いることができる無線周波数帯として、２．４ＧＨｚ帯および５ＧＨｚ帯が規定されている。
【０００３】
この場合、例えば、放送受信用のチューナが内蔵または接続され、電話回線が接続されたベース機器と、このベース機器との間の無線通信によって、ベース機器に対してコマンドを発行して、ベース機器から画像データや音声データなどの情報を受信する端末とによって、無線ＬＡＮシステムを構築することによって、ユーザは、住宅内や部屋内のいずれの場所に居ても、手元の端末によって、地上波ＴＶ（テレビジョン）放送やＢＳ（放送衛星）／ＣＳ（通信衛星）デジタル放送の視聴、インターネットへのアクセス、電話の通話などを行うことができる。
【０００４】
さらに、図７に示すように、例えば、それぞれ、アンテナ３１、ＬＣＤ（液晶ディスプレイ）３２、スピーカ３３、およびマイクロホン３４を備える２個の端末３０Ａおよび３０Ｂと、これら端末３０Ａ，３０Ｂとの間の無線通信用のアンテナ１１を備え、ＴＶ放送受信用のアンテナ１２に接続されるＴＶチューナ１３が内蔵され、電話回線１が接続されたベース機器１０とによって、無線ＬＡＮシステムを構成することによって、あるユーザは自分の居室などで端末３０Ａを使用して、別のユーザは自分の居室などで端末３０Ｂを使用して、それぞれ、ＴＶ放送の視聴、インターネットへのアクセス、電話の通話などを行うことができる。
【発明の概要】
【発明が解決しようとする課題】
【０００５】
しかしながら、このように２個の端末３０Ａおよび３０Ｂを備える無線ＬＡＮシステムでは、例えば、ＴＶ放送を視聴する場合、一方の端末のみが放送を受信している場合であれば、その端末の使用者はチャンネルを自由に変更することができるが、端末３０Ａおよび３０Ｂが同時に同一チャンネルの放送を受信している場合には、選局につき次のような問題を生じる。
【０００６】
すなわち、この場合、いずれかの端末からチャンネル変更のコマンドが発行されるごとに、ベース機器１０がＴＶチューナ１３で受信されるチャンネルを変更するようにシステムを構成すると、いずれかの端末からチャンネル変更のコマンドが発行されるごとに、端末３０Ａおよび３０Ｂで受信されるチャンネルが同時に変更されてしまう結果、端末３０Ａの使用者と端末３０Ｂの使用者との間で選局につき混乱や衝突を生じる。
【０００７】
また、端末３０Ａおよび３０Ｂが同時に同一チャンネルＸを受信している状態で、端末３０ＡからチャンネルをＹに変更するコマンドが発行され、その直後に、ほぼ同時に、端末３０ＢからチャンネルをＺに変更するコマンドが発行されると、結局のところチャンネルがＺに変更される結果、チャンネルをＹに変更する選局操作をした端末３０Ａの使用者がシステムの故障と判断してしまう恐れもある。
【０００８】
そこで、この発明は、複数の端末と少なくとも一つのベース機器とによって構成される無線ＬＡＮシステムにおいて、端末から発行されたコマンドの扱いにつき各端末の使用者の間で混乱や衝突を生じることがないとともに、端末の使用者がシステムの故障と誤解するようなこともないようにしたものである。
【課題を解決するための手段】
【０００９】
この発明の無線ＬＡＮシステムは、複数の端末と少なくとも一つのベース機器とによって構成され、端末とベース機器との間の無線通信によって、端末から発行されたコマンドをベース機器で受信して、ベース機器から端末に情報を送信する無線ＬＡＮシステムであって、前記ベース機器は、前記端末から発行されたコマンドを受信する受信手段と、前記受信手段によって、いずれかの端末から発行されたコマンドが受信されたとき、当該コマンドが、これを受け付けることによって現に受信中の他の端末の受信を妨げる競合コマンドであるか否か、および当該コマンドを発行した端末の優先順位が受信中の他の端末の優先順位より高いか否かを判定する判定手段と、当該コマンドが競合コマンドでない場合に当該コマンドを受け付け、当該コマンドが競合コマンドであり、かつ、当該コマンドを発行した端末の優先順位が受信中の他の端末の優先順位より高い場合に、当該コマンドを受け付けるとともに、その旨を受信中の他の端末に通知し、当該コマンドが競合コマンドであり、かつ、当該コマンドを発行した端末の優先順位が受信中の他の端末の優先順位より高くない場合に、当該コマンドを受け付けないとともに、その旨を当該コマンドを発行した端末に通知する送信手段とを備え、前記端末は、コマンドを生成する生成手段と、当該コマンドを前記ベース機器に送信する送信手段と、前記ベース機器からの通知を受信する受信手段とを備えるものとする。
【００１０】
この発明の無線ＬＡＮシステムは、複数の端末と少なくとも一つのベース機器とによって構成され、端末とベース機器との間の無線通信によって、端末から発行されたコマンドをベース機器で受信して、ベース機器から端末に情報を送信する無線ＬＡＮシステムであって、前記ベース機器は、前記端末から発行されたコマンドを受信する受信手段と、前記受信手段によって、いずれかの端末から発行されたコマンドが受信されたとき、当該コマンドが、これを受け付けることによって現に受信中の他の端末の受信を妨げる競合コマンドであるか否か、および実行中のコマンドを受け付けてから所定時間以上経過しているか否かを判定する判定手段と、当該コマンドが競合コマンドでない場合に当該コマンドを受け付けるとともに、タイマーを初期状態に設定し、当該コマンドが競合コマンドであり、かつ、実行中のコマンドを受け付けてから所定時間以上経過している場合に、当該コマンドを受け付けるとともに、その旨を受信中の他の端末に通知し、タイマーを初期状態に設定し、当該コマンドが競合コマンドであり、かつ、実行中のコマンドを受け付けてから所定時間以上経過していない場合に、当該コマンドを受け付けないとともに、その旨を当該コマンドを発行した端末に通知する送信手段とを備え、前記端末は、コマンドを生成する生成手段と、当該コマンドを前記ベース機器に送信する送信手段と、前記ベース機器からの通知を受信する受信手段とを備えるものとする。
【００１１】
この発明の無線ＬＡＮシステムは、複数の端末と少なくとも一つのベース機器とによって構成され、端末とベース機器との間の無線通信によって、端末から発行されたコマンドをベース機器で受信して、ベース機器から端末に情報を送信する無線ＬＡＮシステムであって、前記ベース機器は、前記端末から発行されたコマンドを受信する受信手段と、前記受信手段によって、いずれかの端末から発行されたコマンドが受信されたとき、当該コマンドが、これを受け付けることによって現に受信中の他の端末の受信を妨げる競合コマンドであるか否かを判定する判定手段と、当該コマンドが競合コマンドでない場合に当該コマンドを受け付け、当該コマンドが競合コマンドであり、かつ、受信中の他の端末へのコマンドの受け付けの可否の問い合わせにおいて受け付け可の返答を受信した場合に、当該コマンドを受け付け、当該コマンドが競合コマンドであり、かつ、受信中の他の端末へのコマンドの受け付けの可否の問い合わせにおいて受け付け不可の返答を受信した場合に、当該コマンドを受け付けないとともに、その旨を当該コマンドを発行した端末に通知する送信手段とを備え、前記端末は、コマンドを生成する生成手段と、当該コマンドを前記ベース機器に送信する送信手段と、コマンドの受け付けの可否を判定する判定手段と、前記ベース機器からの通知を受信する受信手段とを備えるものとする。
【００１２】
上記の方法の、この発明の無線ＬＡＮシステムでは、端末から発行された当該コマンドが上記のように定義された競合コマンドである場合には、原則的に、ベース機器において当該コマンドが受け付けられないので、各端末の使用者の間で混乱や衝突を生じることがない。しかも、当該コマンドが受け付けられないときには、その旨がベース機器から当該コマンドを発行した端末に通知されるので、当該コマンドを発行した端末の使用者は、当該コマンドが受け付けられなくても、システムの故障と判断するようなことはない。
【００１３】
さらに、上記の各方法を用いる場合には、各端末の使用者の利益を適切に調整することができる。
【発明の効果】
【００１４】
上述したように、この発明によれば、端末から発行されたコマンドの扱いにつき各端末の使用者の間で混乱や衝突を生じることがないとともに、端末の使用者がシステムの故障と誤解するようなこともない。
【図面の簡単な説明】
【００１５】
【図１】この発明のコマンド処理方法を適用する無線ＬＡＮシステムの一例を示す図である。
【図２】ベース機器の機能ブロック構成の一例を示す図である。
【図３】各端末の機能ブロック構成の一例を示す図である。
【図４】この発明のコマンド処理方法の第１の具体例を示す図である。
【図５】この発明のコマンド処理方法の第２の具体例を示す図である。
【図６】この発明のコマンド処理方法の第３の具体例を示す図である。
【図７】無線ＬＡＮシステムの一例を示す図である。
【発明を実施するための形態】
【００１６】
〔無線ＬＡＮシステムの一例…図１〜図３〕
図１は、この発明のコマンド処理方法を用いる無線ＬＡＮシステムの一例を示す。この例の無線ＬＡＮシステムは、１個のベース機器１０と２個の端末３０Ａおよび３０Ｂとによって構成される。
【００１７】
ベース機器１０には、電話回線１が接続され、端末３０Ａ，３０Ｂとの間の無線通信用のアンテナ１１が設けられて、端末３０Ａ，３０Ｂが、ベース機器１０との間の無線通信によって、電話の通話を行うことができるとともに、インターネットにアクセスすることができるように構成される。
【００１８】
また、ベース機器１０には、地上波ＴＶ放送受信用のアンテナ１２およびＢＳ／ＣＳデジタル放送受信用のアンテナ１４が接続され、ＴＶチューナ１３およびＢＳ／ＣＳチューナ１５が内蔵されて、端末３０Ａ，３０Ｂが、ベース機器１０との間の無線通信によって、地上波ＴＶ放送およびＢＳ／ＣＳデジタル放送を受信できるように構成される。
【００１９】
さらに、ベース機器１０には、外部機器５０としてＤＶＤ（Ｄｉｇｉｔａｌ  Ｖｉｄｅｏ  Ｄｉｓｃ，Ｄｉｇｉｔａｌ  Ｖｅｒｓａｔｉｌｅ  Ｄｉｓｃ）プレーヤなどの再生装置が接続されて、端末３０Ａ，３０Ｂが、ベース機器１０との間の無線通信によって、外部機器５０で再生された画像データおよび音声データを受信できるように構成される。
【００２０】
ベース機器１０には、リモコンマウスなどのリモコン送信器２９が接続され、これから送出された赤外線リモコン信号が、外部機器５０に設けられたリモコン受光部５１で受光されることによって、外部機器５０が制御されるように構成される。「リモコン」は、「リモートコントロール」の略である。
【００２１】
端末３０Ａおよび３０Ｂには、それぞれ、ベース機器１０との間の無線通信用のアンテナ３１、画像表示用のＬＣＤ３２、音声出力用のスピーカ３３、および音声入力用のマイクロホン３４が設けられる。また、端末３０Ａおよび３０Ｂには、それぞれ、電源キーなどの各種キーを含むキー操作部３５が設けられる。
【００２２】
さらに、ＬＣＤ３２の画面上には、タッチパネル３６が設けられ、ユーザが、このタッチパネル３６の所定領域内にタッチすることによって、ＬＣＤ３２上にコントロールパネル３７が表示され、ユーザが、このコントロールパネル３７のキースイッチ部にタッチすることによって、ベース機器１０に選局コマンドなどのコマンドを発行し、ベース機器１０側を制御することができるように構成される。
【００２３】
機能ブロック的には、ベース機器１０は、図２に示すように構成され、端末３０Ａおよび３０Ｂは、それぞれ、図３に示すように構成される。以下では、端末３０Ａまたは３０Ｂを、端末３０とする。
【００２４】
図２に示すように、ベース機器１０には、ユーザインタフェースを構成するキー操作部１６および表示部１７が設けられ、キー操作部１６が、インタフェース１８を介して主制御部２１に接続され、表示部１７が、表示制御部１９を介して主制御部２１に接続される。また、リモコン送信器２９は、インタフェース２８を介して主制御部２１に接続される。
【００２５】
ＴＶチューナ１３では、地上波ＴＶ放送の信号が選局され、復調された上で、デジタル画像データおよびデジタル音声データに変換される。ＢＳ／ＣＳチューナ１５では、ＢＳ／ＣＳデジタル放送の信号が選局され、圧縮された画像データおよび音声データに分離された上で、その圧縮された画像データおよび音声データが伸長される。外部機器５０からは、再生された画像データおよび音声データが出力される。
【００２６】
ＴＶチューナ１３からの画像データおよび音声データ、およびＢＳ／ＣＳチューナ１５からの画像データおよび音声データは、それぞれ圧縮伸長部２４に送られ、外部機器５０からの画像データおよび音声データは、外部入力インタフェース５２を介して圧縮伸長部２４に送られる。
【００２７】
また、電話回線１が、回線インタフェース２５を介して圧縮伸長部２４に接続されるとともに、さらにモデム部２６を介して信号制御部２３に接続される。
【００２８】
圧縮伸長部２４では、ＴＶチューナ１３、ＢＳ／ＣＳチューナ１５、外部入力インタフェース５２、または回線インタフェース２５からの画像データおよび音声データが、所定の圧縮方式によって圧縮され、圧縮後の画像データおよび音声データが、信号制御部２３に送出される。
【００２９】
また、圧縮伸長部２４では、端末３０から送信されて無線通信部２２で受信されることによって、無線通信部２２から信号制御部２３を介して圧縮伸長部２４に送出された圧縮された音声データが、伸長されて、回線インタフェース２５に送出される。
【００３０】
無線通信部２２では、信号制御部２３からのデータが、所定の変調方式によって変調され、さらに所定の無線周波数帯の高周波信号に変換されて、アンテナ１１から端末３０に送信される。
【００３１】
また、無線通信部２２では、端末３０から送信されてアンテナ１１で受信された高周波信号が、中間周波信号に変換され、さらに復調されて、復調後のデータが、信号制御部２３に送出される。
【００３２】
信号制御部２３は、圧縮伸長部２４で圧縮された画像データおよび音声データ、モデム部２６で受信されたデータ、および主制御部２１からの制御データを、仲裁しながら、無線通信部２２に送出するとともに、端末３０から送信されて無線通信部２２で受信されることによって、無線通信部２２から信号制御部２３に送出されたコマンドおよびデータを、主制御部２１、モデム部２６および圧縮伸長部２４に振り分けて送出する。
【００３３】
主制御部２１は、ベース機器１０の各部を制御するもので、図では省略したが、ＣＰＵ、ＣＰＵが実行すべきプログラムや固定データなどが書き込まれたＲＯＭ、およびＣＰＵのワークエリアなどとして機能するＲＡＭなどによって構成される。
【００３４】
図３に示すように、端末３０では、キー操作部３５が、インタフェース３８を介して主制御部４１に接続される。また、タッチパネル３６に対して座標検出部３９が設けられて、タッチパネル３６のタッチされた座標が座標検出部３９で検出され、その検出座標値が主制御部４１に送出される。
【００３５】
主制御部４１は、タッチパネル３６の所定領域内がタッチされたときには、表示制御部４５を制御して、ＬＣＤ３２上にコントロールパネル３７を表示させ、コントロールパネル３７が表示された状態でコントロールパネル３７のキースイッチ部がタッチされたときには、タッチされたキースイッチ部に応じたコマンドを生成し、キー操作部３５が操作されたときには、操作されたキーに応じたコマンドを生成して、信号制御部４３に送出する。
【００３６】
端末３０では、マイクロホン３４からの音声信号が、音声増幅器４８で増幅され、Ａ／Ｄコンバータ４９でデジタル音声データに変換される。その音声データは、圧縮伸長部４４で所定の圧縮方式によって圧縮され、圧縮後の音声データが、信号制御部４３に送出される。
【００３７】
信号制御部４３は、主制御部４１からのコマンド、および圧縮伸長部４４で圧縮された音声データを、仲裁しながら、無線通信部４２に送出するとともに、ベース機器１０から送信されて無線通信部４２で受信されることによって、無線通信部４２から信号制御部４３に送出されたデータを、制御データおよびモデム部２６で受信されたデータは主制御部４１に、圧縮された画像データおよび音声データは圧縮伸長部４４に、振り分けて送出する。
【００３８】
無線通信部４２では、信号制御部４３からのデータが、所定の変調方式によって変調され、さらに所定の無線周波数帯の高周波信号に変換されて、アンテナ３１からベース機器１０に送信される。
【００３９】
また、無線通信部４２では、ベース機器１０から送信されてアンテナ３１で受信された高周波信号が、中間周波信号に変換され、さらに復調されて、復調後のデータが、信号制御部４３に送出される。
【００４０】
圧縮伸長部４４では、信号制御部４３からの圧縮された画像データおよび音声データが伸長される。その伸長後の画像データは、表示制御部４５によって、ＬＣＤ３２上に画像として表示される。伸長後の音声データは、Ｄ／Ａコンバータ４６でアナログ音声信号に変換され、その音声信号が音声増幅器４７で増幅されて、スピーカ３３から音声が出力される。
【００４１】
主制御部４１は、端末３０の各部を制御するもので、図では省略したが、ベース機器１０の主制御部２１と同様に、ＣＰＵ、ＲＯＭおよびＲＡＭなどによって構成される。
【００４２】
上述した無線ＬＡＮシステムで、地上波ＴＶ放送またはＢＳ／ＣＳデジタル放送を視聴する場合には、ユーザは、端末３０のキー操作部３５またはコントロールパネル３７で選局操作をする。これによって、端末３０の主制御部４１から、信号制御部４３を介して無線通信部４２によって、ベース機器１０にコマンドが送信される。
【００４３】
ベース機器１０では、そのコマンドが、無線通信部２２で受信されて、信号制御部２３を介して主制御部２１に送られ、主制御部２１によってＴＶチューナ１３またはＢＳ／ＣＳチューナ１５が制御されて、選局が実行される。選局によってＴＶチューナ１３またはＢＳ／ＣＳチューナ１５から出力された画像データおよび音声データは、圧縮伸長部２４で圧縮され、信号制御部２３を介して無線通信部２２によって、端末３０に送信される。
【００４４】
端末３０では、その圧縮された画像データおよび音声データが、無線通信部４２で受信され、信号制御部４３を介して圧縮伸長部４４に送られて伸長され、ＬＣＤ３２上に画像が表示され、スピーカ３３から音声が出力される。
【００４５】
外部機器５０で再生された画像および音声を視聴する場合には、ユーザが端末３０のキー操作部３５またはコントロールパネル３７で再生操作をすると、端末３０からベース機器１０にコマンドが送信され、ベース機器１０側において、リモコン送信器２９によって外部機器５０が制御されて、外部機器５０で画像データおよび音声データが再生される。
【００４６】
外部機器５０から出力された画像データおよび音声データは、ＴＶチューナ１３またはＢＳ／ＣＳチューナ１５から出力された画像データおよび音声データと同様に、ベース機器１０から端末３０に送信され、端末３０において、ＬＣＤ３２上に画像が表示され、スピーカ３３から音声が出力される。
【００４７】
インターネットにアクセスする場合には、ユーザが端末３０のキー操作部３５またはコントロールパネル３７でＩＳＰ（Ｉｎｔｅｒｎｅｔ  Ｓｅｒｖｉｃｅ  Ｐｒｏｖｉｄｅｒ）への接続を要求すると、その要求が端末３０からベース機器１０に送信される。
【００４８】
ベース機器１０では、その要求が、無線通信部２２で受信されて、信号制御部２３を介して主制御部２１に送られ、主制御部２１によってモデム部２６および回線インタフェース２５が制御されて、ＩＳＰとの接続が行われ、例えば、あるホームページの閲覧要求によってＩＳＰから電話回線１に送られたデータが、回線インタフェース２５およびモデム部２６を介して信号制御部２３に送られ、無線通信部２２によって端末３０に送信される。
【００４９】
端末３０では、そのデータが、無線通信部４２で受信されて、信号制御部４３を介して主制御部４１に送られる。主制御部４１では、そのデータが加工されて表示データが作成され、その表示データが表示制御部４５に送られて、ＬＣＤ３２上にホームページが表示される。
【００５０】
電話の通話を行う場合、端末３０のマイクロホン３４からの送話音声信号が、Ａ／Ｄコンバータ４９でデジタル音声データに変換され、圧縮伸長部４４で圧縮されて、圧縮後の音声データが、信号制御部４３を介して無線通信部４２によって、ベース機器１０に送信される。
【００５１】
ベース機器１０では、その圧縮された音声データが、無線通信部２２で受信され、信号制御部２３を介して圧縮伸長部２４に送られて伸長され、伸長後の送話音声信号が、回線インタフェース２５を介して電話回線１に送出される。
【００５２】
一方、電話回線１に得られた受話音声信号が、回線インタフェース２５を介して圧縮伸長部２４に送られて圧縮され、圧縮後の音声データが、信号制御部２３を介して無線通信部２２によって、端末３０に送信される。
【００５３】
端末３０では、その圧縮された音声データが、無線通信部４２で受信され、信号制御部４３を介して圧縮伸長部４４に送られて伸長され、伸長後の音声データが、Ｄ／Ａコンバータ４６でアナログ音声信号に変換され、スピーカ３３から受話音声が出力される。
【００５４】
〔コマンド処理方法の実施形態…図４〜図６〕
上述した例の無線ＬＡＮシステムにおいて、この発明の方法によって、端末３０Ａまたは３０Ｂから発行されたコマンドをベース機器１０において処理する場合の実施形態を、以下に示す。
【００５５】
この発明のコマンド処理方法では、ベース機器１０では、端末３０Ａまたは３０Ｂから発行されたコマンドが競合コマンドである場合には、原則的に、当該コマンドを受け付けない。競合コマンドとは、当該コマンドを受け付けることによって現に受信中の他の端末の受信を妨げるコマンドである。例えば、端末３０Ｂの電源がオフで、端末３０Ｂが受信中でない状態で、端末３０Ａから発行された選局コマンドは、競合コマンドではない。これに対して、端末３０Ａおよび３０Ｂが同時に同一チャンネルを受信している状態で、端末３０Ａから発行されたチャンネル変更のコマンドは、競合コマンドである。
【００５６】
そして、この発明のコマンド処理方法では、当該コマンドが競合コマンドであることによって当該コマンドを受け付けない場合には、ベース機器１０は、その旨を当該コマンドを発行した端末に通知する。通知を受けた端末では、主制御部４１の制御によって、「このコマンドは受け付けられません」というようなメッセージが、ＬＣＤ３２上に文字やアイコンで表示され、またはスピーカ３３から音声で出力される。
【００５７】
端末３０Ａ，３０Ｂからベース機器１０に送信されるコマンドには、発行元の端末を区別するＩＤ（識別情報）が付加され、ベース機器１０から端末３０Ａ，３０Ｂに送信される通知には、受信先の端末を区別するＩＤが付加される。
【００５８】
以下に、この発明のコマンド処理方法の具体例を示す。
【００５９】
（第１の例…図４）
第１の例では、端末３０Ａ，３０Ｂの間に優先順位を設定する。すなわち、端末３０Ａと端末３０Ｂのいずれか一方にプライオリティを付与する。
【００６０】
ただし、プライオリティは、一方の端末にのみ固定的に付与しないで、例えば、午前６時から午後６時までは端末３０Ａに付与し、午後６時から午前６時までは端末３０Ｂに付与する、というように時間帯で分けて、あるいは、月曜日から金曜日までは端末３０Ａに付与し、土曜日および日曜日は端末３０Ｂに付与する、というように曜日で分けて、端末３０Ａまたは３０Ｂに付与してもよい。
【００６１】
優先順位の設定は、ユーザが、ベース機器１０のキー操作部１６で、ベース機器１０の主制御部２１に対して行う。
【００６２】
そして、第１の例では、ベース機器１０の主制御部２１は、図４に示すようなコマンド処理ルーチン６０によって、受信したコマンドが競合コマンドである場合でも、当該コマンドを発行した端末にプライオリティがあるときには、当該コマンドを受け付けるとともに、その旨を受信中の他の端末に通知する。
【００６３】
すなわち、このコマンド処理ルーチン６０では、いずれかの端末からコマンドを受信すると、まずステップ６１で、当該コマンドが競合コマンドであるか否かを判断し、競合コマンドでなければ、ステップ６１からステップ６２に進んで、当該コマンドの受付処理を行う。
【００６４】
したがって、一方の端末の電源がオフで、その端末が受信中でない状態では、他方の端末の使用者は、自分にプライオリティがあるか否かにかかわらず、チャンネルを自由に変更することができる。
【００６５】
ステップ６１で当該コマンドが競合コマンドであると判断したときには、ステップ６１からステップ６３に進んで、当該コマンドを発行した端末にプライオリティがあるか否かを判断し、プライオリティがなければ、ステップ６３からステップ６４に進んで、当該コマンドを受け付けないとして、その旨を当該コマンドを発行した端末に通知する。
【００６６】
したがって、端末３０Ａおよび３０Ｂが同時に同一チャンネルを受信している状態で、端末３０Ａからチャンネル変更のコマンドが発行された場合、端末３０Ａにプライオリティがなければ、その端末３０Ａからのチャンネル変更のコマンドは受け付けられないことになる。
【００６７】
ステップ６３で当該コマンドを発行した端末にプライオリティがあると判断したときには、ステップ６３からステップ６５に進んで、当該コマンドを受け付ける旨を受信中の他の端末に通知した上で、ステップ６６に進んで、当該コマンドの受付処理を行う。
【００６８】
したがって、端末３０Ａおよび３０Ｂが同時に同一チャンネルを受信している状態で、端末３０Ａからチャンネル変更のコマンドが発行された場合、端末３０Ａにプライオリティがあれば、その端末３０Ａからのチャンネル変更のコマンドは受け付けられることになる。しかも、この場合、チャンネルが変更されることが端末３０Ｂに予告されるので、端末３０Ｂの使用者が戸惑うことはない。
【００６９】
上述したように時間帯や曜日で分けて端末３０Ａまたは３０Ｂにプライオリティを付与する場合には、ステップ６３では、当該コマンドを受信した時刻や曜日を考慮した上で、当該コマンドを発行した端末にプライオリティがあるか否かを判断する。
【００７０】
この第１の例では、特に上記のように時間帯や曜日で分けて端末３０Ａまたは３０Ｂにプライオリティを付与することによって、端末３０Ａの使用者と端末３０Ｂの使用者の利益を適切に調整することができる。
【００７１】
（第２の例…図５）
第２の例では、ベース機器１０の主制御部２１は、図５に示すようなコマンド処理ルーチン７０によって、受信したコマンドが競合コマンドである場合でも、当該コマンドを受信した時、現に実行中の他の端末が受信中の処理についてのコマンドの受付から所定時間以上経過しているときには、当該コマンドを受け付けるとともに、その旨を受信中の他の端末に通知する。所定時間は、１〜２時間程度が望ましい。
【００７２】
すなわち、このコマンド処理ルーチン７０では、いずれかの端末からコマンドを受信すると、まずステップ７１で、当該コマンドが競合コマンドであるか否かを判断し、競合コマンドでなければ、ステップ７１からステップ７２に進んで、当該コマンドの受付処理を行い、さらにステップ７３に進んで、タイマーをリセットして時間の計測を更新する。
【００７３】
したがって、一方の端末の電源がオフで、その端末が受信中でない状態では、他方の端末の使用者は、チャンネルを自由に変更することができるとともに、チャンネルの変更ごとにタイマーがリセットされ、時間の計測が更新されることになる。
【００７４】
ステップ７１で当該コマンドが競合コマンドであると判断したときには、ステップ７１からステップ７４に進んで、タイマーの計測時間から、現に実行中の他の端末が受信中の処理についてのコマンドの受付から所定時間以上経過しているか否かを判断し、所定時間以上経過していなければ、ステップ７４からステップ７５に進んで、当該コマンドを受け付けないとして、その旨を当該コマンドを発行した端末に通知する。
【００７５】
したがって、一方の端末のみが、あるチャンネルを受信している状態で、他方の端末の使用者が、一方の端末で受信しているチャンネルと異なるチャンネルを選局しようとする場合、一方の端末からの前のコマンドの受付から一定時間以上経過していないときには、その他方の端末からの選局コマンドは受け付けられないことになる。
【００７６】
ステップ７４で所定時間以上経過していると判断したときには、ステップ７４からステップ７６に進んで、当該コマンドを受け付ける旨を受信中の他の端末に通知した上で、ステップ７７に進んで、当該コマンドの受付処理を行い、さらにステップ７８に進んで、タイマーをリセットして時間の計測を更新する。
【００７７】
したがって、上記の場合、一方の端末からの前のコマンドの受付から一定時間以上経過しているときには、他方の端末からの選局コマンドは受け付けられることになる。しかも、この場合、チャンネルが変更されることが一方の端末に予告されるので、一方の端末の使用者が戸惑うことはない。
【００７８】
この第２の例でも、一つのコマンドによって制約できる時間を限定することによって、端末３０Ａの使用者と端末３０Ｂの使用者の利益を適切に調整することができる。
【００７９】
（第３の例…図６）
第３の例では、ベース機器１０の主制御部２１は、図６に示すようなコマンド処理ルーチン８０によって、受信したコマンドが競合コマンドである場合でも、受信中の他の端末の使用者が当該コマンドの受付を承諾するときには、当該コマンドを受け付ける。
【００８０】
すなわち、このコマンド処理ルーチン８０では、いずれかの端末からコマンドを受信すると、まずステップ８１で、当該コマンドが競合コマンドであるか否かを判断し、競合コマンドでなければ、ステップ８１からステップ８２に進んで、当該コマンドの受付処理を行う。
【００８１】
ステップ８１で当該コマンドが競合コマンドであると判断したときには、ステップ８１からステップ８３に進んで、受信中の他の端末に当該コマンドの受付の可否を問い合わせる。この問い合わせは、ベース機器１０から受信中の他の端末に制御データが送信され、他の端末において、「チャンネルを変更してもよいですか」というようなメッセージが、ＬＣＤ３２上に文字やアイコンで表示され、またはスピーカ３３から音声で出力されることによって、実行される。
【００８２】
この問い合わせに対して、受信中の他の端末の使用者は、キー操作部３５またはコントロールパネル３７での応答操作によって、当該コマンドの受付を可とするか不可とするかを返答する。その返答のデータは、他の端末からベース機器１０に送信される。
【００８３】
ステップ８３での問い合わせ後、ベース機器１０の主制御部２１は、ステップ８４に進んで、その返答が当該コマンドの受付を可とするものであるか否かを判断し、返答が当該コマンドの受付を不可とするときには、ステップ８４からステップ８５に進んで、当該コマンドを受け付けないとして、その旨を当該コマンドを発行した端末に通知する。
【００８４】
返答が当該コマンドの受付を可とするときには、ステップ８４からステップ８６に進んで、当該コマンドの受付処理を行う。
【００８５】
この第３の例でも、受信中の他の端末の使用者が当該コマンドの受付を承諾するときには当該コマンドを受け付けるので、端末３０Ａの使用者と端末３０Ｂの使用者の利益を適切に調整することができる。
【００８６】
〔他の実施形態〕
上述した実施形態は、１個のベース機器１０と２個の端末３０Ａおよび３０Ｂとによって無線ＬＡＮシステムが構成される場合であるが、この発明は、１個のベース機器と３個以上の端末とによって無線ＬＡＮシステムが構成される場合にも適用することができる。
【００８７】
この場合、第１の例のように各端末の間に優先順位を設定する場合には、一部の１個または複数の端末にのみ固定的にプライオリティを付与し、または各端末に異なる優先順位を固定的に付与し、あるいは、時間帯や曜日で分けて、いずれかの端末にプライオリティを付与し、または各端末に異なる優先順位を付与すればよい。
【００８８】
この場合には、図４のコマンド処理ルーチン６０のステップ６３では、当該コマンドを発行した端末の優先順位が受信中の他の端末の優先順位より高いか否かを判断して、高くなければ（同じ順位のときにも）、当該コマンドを受け付けず、高ければ、当該コマンドを受け付けるように構成する。
【００８９】
また、第３の例のように受信中の他の端末の使用者が当該コマンドの受付を承諾するときには当該コマンドを受け付ける場合には、受信中の他の端末が複数あるとき、図６のコマンド処理ルーチン８０のステップ８４では、その複数の端末からの返答が全て、当該コマンドの受付を可とするときにのみ、当該コマンドを受け付け、あるいは、当該コマンドを発行した端末を含めて、受信中の端末の過半数が、当該コマンドの受付を可とするときには、当該コマンドを受け付けるように構成する。ただし、後者の場合には、当該コマンドの受付を不可とした端末に対して、当該コマンドを受け付ける旨を通知する。
【００９０】
さらに、この発明は、複数のベース機器と複数の端末とによって無線ＬＡＮシステムが構成される場合にも適用することができる。
【符号の説明】
【００９１】
主要部については図中に全て記述したので、ここでは省略する。
【図１】
2010252368.tif 000003
【図２】
2010252368.tif 000004
【図３】
2010252368.tif 000005
【図４】
2010252368.tif 000006
【図５】
2010252368.tif 000007
【図６】
2010252368.tif 000008
【図７】
2010252368.tif 000009